(57)【要約】【課題】  引戸が急激に閉じるのを緩和することができるとともに、開時の操作力を軽減することができる引戸の引き込み装置を提供する。【解決手段】  装置本体と操作部材７０とを備え、装置本体は、ガイドレール部１と、引き込み部材３１と、引き込み用付勢部材３９と、引き込み部材３１に複数個設けられ、引き込み用付勢部材３９により引き込み部材３１が引き込まれる際に、ガイドレール部１のラック１７に噛み合って引き込み部材３１に抵抗力を与えるとともに、そのうちの少なくとも１つが直線部１８に移動する一方向回転ダンパーとを備えている。【選択図】      図６
2006348553.tif 000002
【特許請求の範囲】
【請求項１】
引戸の枠体に設けられた装置本体と、前記引戸の障子に設けられた操作部材とを備え、
前記装置本体は、
前記枠体に設けられ、前記障子の閉方向に向かってラックおよび直線部がこの順に設けられているガイドレール部と、
このガイドレール部に前記障子の移動方向と平行に往復移動自在に設けられた引き込み部材と、
この引き込み部材を前記障子の閉方向に付勢する引き込み用付勢部材と、
前記引き込み部材に複数個設けられ、前記引き込み用付勢部材により前記引き込み部材が引き込まれる際に、前記ガイドレール部の前記ラックに噛み合って前記引き込み部材に抵抗力を与えるとともに、そのうちの少なくとも１つが前記直線部に移動する一方向回転ダンパーとを備えている、
ことを特徴とする引戸の引き込み装置。
【請求項２】
引戸の枠体に設けられた操作部材と、前記引戸の障子に設けられた装置本体とを備え、
前記装置本体は、
前記障子に設けられ、前記障子の開方向に向かってラックおよび直線部がこの順に設けられているガイドレール部と、
このガイドレール部に前記障子の移動方向と平行に往復移動自在に設けられた引き込み部材と、
この引き込み部材を前記障子の開方向に付勢するとともに、該引き込みフレームが前記操作部材により移動不能とされた際に前記障子を閉方向に付勢する引き込み用付勢部材と、
前記引き込み部材に複数個設けられ、前記障子が閉方向に引き込まれる際に、前記ガイドレール部の前記ラックに噛み合って前記ガイドレール部に抵抗力を与えるとともに、そのうちの少なくとも１つが前記直線部に移動する一方向回転ダンパーとを備えている、
ことを特徴とする引戸の引き込み装置。
【請求項３】
ラックに噛み合う一方向回転ダンパーの噛み合い長さまたは個数を変更可能とされていることを特徴とする請求項１または請求項２に記載の引戸の引き込み装置。
【発明の詳細な説明】
【技術分野】
【０００１】
本発明は、引戸が急激に閉じるのを緩和するとともに、自動的に引戸を閉止する引戸の引き込み装置に関する。
【背景技術】
【０００２】
開いている抽斗を閉める時あるいはドアを閉めるときに、これらがソフトにかつ確実に閉まるようにする引き込み装置が知られている（例えば、特許文献１参照）。この引き込み装置は、バネの力を受けかつ線形にスライドできるキャリッジと、回転ダンパーとを持ち、そのキャリッジはカムを介して家具の可動部分と取り外し可能な状態で連結でき、また回転ダンパーはラック面と噛み合うピニオンを備えており、前記スライド可能なキャリッジにラック面が形成され、回転ダンパーが位置を固定して配置されている。また、回転ダンパーの代わりに、線形ダンパーを用いる。すなわち、この引き込み装置は、閉ダンパー装置を組み合わせることにより、閉動作の騒音を生じることなく、ソフトな閉動作プロセスを得るようにしている。
【０００３】
【特許文献１】特開２００１−２４５７３８号公報
【発明の開示】
【発明が解決しようとする課題】
【０００４】
しかしながら、特許文献１に記載の引き込み装置にあっては、１つの回転ダンパーを用い、この回転ダンパーがラックに常に噛み合っているので、引き込み時の最初から最後まで同じ抵抗力が作用する。そして、最後まで完全にドア等を引き込むために、バネが縮んでもバネの力を相当程度強くしておく必要があり、このためバネの最大バネ力が大きくなってしまう。特に、閉操作に大きな操作力を要するドア等の場合には、このバネの力は相当強くする必要があり、このためドア等を開けるときに、大きな力が必要になってしまうという問題がある。さらに、シリコンオイル等の粘性を利用する回転ダンパーにおいては、回転ダンパーの抵抗力が温度の変化によって冬場と夏場とで異なり、引き込み時の抵抗力が変化して、ダンパー機能（衝撃吸収機能）が変化してしまうという問題がある。
【０００５】
本発明は、上記事情に鑑みて為されたもので、引戸が急激に閉じるのを緩和することができるとともに、開時の操作力を軽減することができる引戸の引き込み装置を提供することを目的とする。
また、本発明は、引戸が急激に閉じるのを緩和することができるとともに、開時の操作力を軽減することができ、さらに引き込み時の抵抗力を変更可能な引戸の引き込み装置を提供することを目的とする。
【課題を解決するための手段】
【０００６】
前記目的を達成するために、請求項１に記載の引戸の引き込み装置は、引戸の枠体に設けられた装置本体と、前記引戸の障子に設けられた操作部材とを備え、
前記装置本体は、
前記枠体に設けられ、前記障子の閉方向に向かってラックおよび直線部がこの順に設けられているガイドレール部と、
このガイドレール部に前記障子の移動方向と平行に往復移動自在に設けられた引き込み部材と、
この引き込み部材を前記障子の閉方向に付勢する引き込み用付勢部材と、
前記引き込み部材に複数個設けられ、前記引き込み用付勢部材により前記引き込み部材が引き込まれる際に、前記ガイドレール部の前記ラックに噛み合って前記引き込み部材に抵抗力を与えるとともに、そのうちの少なくとも１つが前記直線部に移動する一方向回転ダンパーとを備えている、
ことを特徴とする。
【０００７】
請求項２に記載の引戸の引き込み装置は、引戸の枠体に設けられた操作部材と、前記引戸の障子に設けられた装置本体とを備え、
前記装置本体は、
前記障子に設けられ、前記障子の開方向に向かってラックおよび直線部がこの順に設けられているガイドレール部と、
このガイドレール部に前記障子の移動方向と平行に往復移動自在に設けられた引き込み部材と、
この引き込み部材を前記障子の開方向に付勢するとともに、該引き込みフレームが前記操作部材により移動不能とされた際に前記障子を閉方向に付勢する引き込み用付勢部材と、
前記引き込み部材に複数個設けられ、前記障子が閉方向に引き込まれる際に、前記ガイドレール部の前記ラックに噛み合って前記ガイドレール部に抵抗力を与えるとともに、そのうちの少なくとも１つが前記直線部に移動する一方向回転ダンパーとを備えている、
ことを特徴とする。
【０００８】
請求項３に記載の引戸の引き込み装置は、請求項１または請求項２に記載の発明において、ラックに噛み合う一方向回転ダンパーの噛み合い長さまたは個数を変更可能とされていることを特徴とする。
【発明の効果】
【０００９】
請求項１および請求項２に記載の引戸の引き込み装置によれば、障子の閉時に、引き込み装置が作動する当初は、複数個の一方向回転ダンパーにより大きな抵抗力を与えて、障子の移動速度を緩和することができ、その後一方向回転ダンパーのうちの少なくとも１つが直線部に移動して抵抗力を生じなくなるので、このときの引き込み用付勢部材の付勢力を小さくして、完全に障子を閉止することができる。このため、引き込み用付勢部材の最大付勢力を小さくすることができるので、障子を開けるときの操作力を軽減することができる。この引戸の引き込み装置は、障子の重量が大きい引戸に特に有効である。
【００１０】
請求項３に記載の引戸の引き込み装置によれば、請求項１または請求項２に記載の発明と同様の作用効果を奏するとともに、ラックに噛み合う一方向回転ダンパーの噛み合い長さまたは個数を変更可能とされているので、引き込み時の抵抗力を変化させることができ、したがって、例えば、一方向回転ダンパーの抵抗力が温度の変化によって冬場と夏場とで異なっても、引き込み時の抵抗力を同じようにすることができる。
【発明を実施するための最良の形態】
【００１１】
以下、本発明の実施の形態を図面を参照して説明する。
図１乃至図１２は、本発明の第１の実施の形態に係る引戸の引き込み装置を示す図であって、図１は引き込み装置が設置された引戸を示す正面図であり、図２は同引戸の平面図であり、図３は同引戸の側面図であり、図４は引戸の引き込み装置の平面図であり、図５は同引き込み装   置を一部を切り欠いて示す正面図であり、図６は図４の要部拡大図であり、図７は図５の要部拡大図であり、図８（ａ）は図７のＡ−Ａ線に沿う断面図であり、図８（ｂ）は図７のＢ−Ｂ線に沿う断面図であり、図８（ｃ）は図７のＣ−Ｃ線に沿う断面図であり、図９はガイドレール部を示す図であって、（ａ）は平面図、（ｂ）は一部を切り欠いて示す正面図、（ｃ）は縦断面図であり、図１０は引き込みフレーム部を示す図であって、（ａ）は平面図、（ｂ）は正面図であり、図１１はばね力調整部を示す正面図であり、図１２は操作部を示す正面図である。
【００１２】
本実施の形態の引戸の引き込み装置は、図１乃至図３に示すように、装置本体Ｈと操作部Ｓとを備えており、装置本体Ｈは、引戸Ｔの枠体Ｗの上枠Ｗ１に取り付けられ、操作部Ｓは、引戸Ｔの障子Ｖの上框Ｖ１の上面に取り付けられている。装置本体Ｈおよび操作部Ｓはともに、上枠Ｗ１の案内溝Ｍ内に配置されている。
【００１３】
本実施の形態では、引戸Ｔは、２枚建ての引き違い引戸であって、枠体Ｗは上枠Ｗ１、下枠Ｗ２および左右の縦枠Ｗ３により方形に組み立てられており、この枠体Ｗに２枚の障子（外障子および内障子）Ｖが左右方向に水平移動可能に設けられている。障子Ｖは上框Ｖ１、下框Ｖ２および左右の縦框（戸先側縦框および外召合せ側縦框）Ｖ３とにより方形の框組体が組み立てられ、この框組体にパネル体等が組み込まれている。障子Ｖの下框Ｖ２には２つの戸車Ｋが回転自在に設けられ、これらの戸車Ｋが枠体Ｗの下枠Ｗ２に設けられたレールＲ上を走行することにより、障子Ｖが開閉するようになっている。また、障子Ｖの上框Ｖ１の上面には、２つのガイドローラＧが水平回転自在に設けられており、枠体Ｗの上枠Ｗ１の下面に形成された案内溝Ｍの内面に沿って転動するようになっている。
なお、本実施の形態では、２枚の障子Ｖのうち、外障子Ｖに本発明の引き込み装置を適用する場合について説明するが、内障子Ｖにも同様にして適用することができる。
【００１４】
引戸の引き込み装置の装置本体Ｈは、図４乃至図１１に示すように、ガイドレール部１と、引き込みフレーム部２と、ばね力調整部３とを備えている。ガイドレール部１および引き込みフレーム部２は上枠Ｗ１下面の左右方向中央部寄りに設けられ、ばね調整部３は端部寄りに設けられている（図１参照）。
ガイドレール部１は、ねじにより互いに固定された上側のガイドレール１１および下側のガイドレール１２と、これらのガイドレール１１、１２の後側に固定されたＬ字板状の連結板１３とから、前側が開口された細長い概略四角箱状に形成されている。上側のガイドレール１１は、ねじ１４により、上枠Ｗ１に固定されている。上側のガイドレール１１の下面および下側のガイドレール１２の上面にはそれぞれ、長手方向に連続的に延びるガイド溝１５、１６等が形成されている。また、上側のガイドレール１１の前面の上部には、長手方向中央部分に、ラック１７が形成されており、このラック１７から上枠Ｗ１の端部側の部分には、ラック１７の歯底と同じ奥行きで長手方向に延びる直線部（平坦部）１８が形成されている。また、上側のガイドレール１１の前面の下部には、ローラガイド部２０が形成されている。ローラガイド部２０は、長手方向に直線状に延びる直線部２１と、この直線部２１の上枠Ｗ１の中央部側の端から連続して形成された傾斜部２２とからなり、この傾斜部２２のさらに上枠Ｗ１の中央部側には、奥側に窪んでいる凹部（ストッパ部）２４が形成されている。傾斜部２２は、直線部２１から凹部２４に向かうにつれて漸次奥側（後側）に向かうように傾斜している。なお、傾斜部２２は、本例では直線状に形成されているが、曲線状に形成されていてもよい。
【００１５】
引き込みフレーム部２は、引き込みフレーム（引き込み部材）３１を備えている。この引き込みフレーム３１は、ガイドレール部１に長手方向に移動可能に設けられている。すなわち、フレーム３１の上面および下面の奥側にはそれぞれ、上側および下側に突出する突起部３２、３３が２つずつ長手方向の両端部に形成されており、両突起部３２がガイドレール１１のガイド溝１５に、また両突起部３３がガイドレール１２のガイド溝１６にそれぞれ嵌入され、各突起部３２、３３がそれぞれ各ガイド溝１５、１６に沿って移動するなどのガイド構造が設けられている。
【００１６】
引き込みフレーム３１には、２つの一方向回転ダンパー（ダンパー）３４、３５が引き込みフレーム３１の長手方向に間隔をおいて取り付けられている。各一方向回転ダンパー３４、３５の各ピニオン３６、３７はそれぞれ、ガイドレール１１のラック１７に噛み合うようになっており、引き込みフレーム３１が上枠Ｗ１の端部側に移動するときには、抵抗力が働いて引き込みフレーム３１がゆっくり移動し、上枠Ｗ１の中央部側に移動するときには、抵抗なく移動するようになっている。両一方向回転ダンパー３４、３５は、抵抗力が異なっており、上枠Ｗ１の端部側に位置する一方向回転ダンパー３４の方が中央部側に位置する一方向回転ダンパー３５よりも抵抗力が大きく設定されている。
【００１７】
また、引き込みフレーム３１における上枠Ｗ１の端部側の端部には、ピン３８が固定されており、このピン３８には２つの引っ張りコイルバネ（バネ）３９の一端部が係止されている。これらの引っ張りコイルバネ３９の他端部は、ばね力調整部３のねじ４１に係止されている。引っ張りコイルバネ３９は、引き込みフレーム３１を引き込む引き込み用付勢部材として機能するものである。
【００１８】
ばね力調整部３は、取付フレーム４２を備えており、この取付フレーム４２は、上枠Ｗ１の左右方向端部の案内溝Ｍ内にねじにより取り付けられている。なお、取付フレーム４２をガイドレール部１と一体的に形成するようにしてもよい。このようにすると、これらの上枠Ｗ１への取り付けが容易になる。取付フレーム４２の下壁４３には、案内溝Ｍの長手方向に延びる長穴４４が形成されており、この長穴４４に下側からねじ４５が挿入され、ナット４６が溶接されているナットプレート４７のナット４６にねじ込まれている。下壁４３とナット４６との間には、板状のスペーサ４８が介在さている。ねじ４５のナットプレート４７より先端側には、抜け止め部材４９が装着されている。ねじ４１は、取付フレーム４２の下壁４３の長穴４４に下側から挿入され、スペーサ４８を通してナットプレート４７にねじ込まれている。このねじ４１は、ねじ４５より上枠Ｗ１の中央部側に配置されている。長穴４４内を移動させて、ねじ４５の位置を変えることにより、引き込みフレーム３１との間のねじ４１の位置が変わり、これにより引っ張りコイルバネ３９のばね力を調整するようになっている。
【００１９】
また、引き込みフレーム３１における上枠Ｗ１の中央部側には、キャッチ部材５０が円筒状のスペーサ５１を介してねじ５２により回動可能に固定されており、これによりキャッチ部材５０はねじ（回動軸）５２を中心に水平回動自在となっている。このキャッチ部材５０は、キャッチ部材５０と引き込みフレーム３１との間に設けられた引っ張りコイルバネ（付勢部材）５４により、平面視において反時計方向に回動するように付勢されている。キャッチ部材５０には、ねじ５５によりガイドローラ５６が回転自在に取り付けられている。このガイドローラ５６は、ガイドレール部１のガイドレール１１のローラガイド部２０に案内されて移動し、ローラガイド部２０の傾斜部２２側の端部では、凹部２４内に落とされる。また、キャッチ部材５０には、ガイドレール部１の開口側（連結板１３と反対側）に水平に突出する係合部５７と係合部５８とが少しの間隔をおいて形成されている。これらの係合部５７および係合部５８には、操作部Ｓの操作部材７０が係合する。
【００２０】
操作部Ｓは、図１２に示すように、取付フレーム７１を備えており、この取付フレーム７１は、障子Ｖの上框Ｖ１の上面の中央部より少し召合せ部寄りの位置に、ねじにより取り付けられている。この取付フレーム７１には、操作部材７０と戻し部材７２とが互いに少し間隔をおいて上方に突出するように取り付けられている。操作部材７０および戻し部材７２はそれぞれ、障子Ｖの召合せ側および戸先側に配置されている。戻し部材７２は、その下端部のピン７４を中心に回動可能に取り付けられるとともに、その上端部が操作部材７０から離れる方向にねじりコイルバネ（付勢部材）７５により付勢され、かつ操作部材７０側に斜めに傾いた状態でそれ以上起き上がれないようにゴム製の規制板７６により規制されている。したがって、戻し部材７２は、常時は操作部材７０側に斜めに傾いた状態になっているとともに、ねじりコイルバネ７５の付勢力に抗して力を加えると操作部材７０側に倒れ、力を抜くとねじりコイルバネ７５の付勢力により斜めの状態に復帰するようになっている。
【００２１】
次に、この引戸の引き込み装置の動作を図１乃至図３および図１３乃至図１８を参照しつつ説明する。
障子Ｖが所定量開いている状態ないし全開状態では、図１３に示すように、キャッチ部材５０のガイドローラ５６がガイドレール部１の凹部２４内に位置しており、これにより引き込みフレーム３１が引っ張りコイルバネ３９により上枠Ｗ１の端部側に引っ張られているにも拘わらず、引き込みフレーム３１はその位置を保持している。このとき、引き込みフレーム３１の２つの一方向回転ダンパー３４、３５の各ピニオン３６、３７はともに、ガイドレール部１のラック１７に噛み合っている。
【００２２】
次いで、障子Ｖを閉めて行くと、障子Ｖに取り付けられた操作部材７０が図１３において左側に移動して行き、キャッチ部材５０の係合部５７に突き当たって、係合する。このとき、障子Ｖはあと少しを残して開いた状態である。
【００２３】
さらに、障子Ｖが閉まって行くと、図１４に示すように、操作部材７０によりキャッチ部材５０の係合部５７が押されて、キャッチ部材５０が引っ張りコイルバネ５４の付勢力に抗してねじ５２を中心に同図において（平面視において）時計方向に回動し、これによりガイドローラ５６がガイドレール部１の凹部２４から外れて、引き込みフレーム３１が移動できるようになる。その後、引き込みフレーム３１は、引っ張りコイルバネ３９の付勢力により同図において左側（上枠Ｗ１の端部側）に移動するが、引き込みフレーム３１が移動すると、キャッチ部材５０の係合部５８が操作部材７０に係合するので、操作部材７０も移動するので、障子Ｖを人力等により移動させなくても、障子Ｖは引っ張りコイルバネ３９の付勢力により移動する。そして、引き込みフレーム３１の２つの一方向回転ダンパー３４、３５の各ピニオン３６、３７がともに、ガイドレール部１のラック１７に噛み合っている間は、両方の一方向回転ダンパー３４、３５の回転抵抗を受け、引き込みフレーム３１および操作部材７０はゆっくり移動し、したがって操作部材７０が固定されている障子Ｖはゆっくり閉まって行く。このように、本引き込み装置の作動当初では、障子Ｖの移動速度が遅くなる。したがって、障子Ｖを勢い良く閉めた場合には、障子Ｖの移動速度が減速され、これにより指詰め等の事故を防止することが可能になる。
【００２４】
さらに、障子Ｖが閉まって行くと、図１５に示すように、２つの一方向回転ダンパー３４、３５のうちの一方の一方向回転ダンパー３４のピニオン３６がラック１７から外れて直線部１８を移動する。そうすると、引き込みフレーム３１は、ラック１７と噛み合っている一方向回転ダンパー３５の回転抵抗のみを受けて移動するようになるので、引き込みフレーム３１および操作部材７０（したがって障子Ｖ）はその前より少し早く移動するようになる。この例では、一方向回転ダンパー３４の方が一方向回転ダンパー３５よりも回転抵抗が大きく設定されているので、一方向回転ダンパー３５のみによる回転抵抗は、２つの一方向回転ダンパー３４、３５による回転抵抗の半分よりも小さくなる。
【００２５】
さらに、障子Ｖが閉まって行くと、図１６に示すように、一方向回転ダンパー３５のピニオン３７もラック１７から外れて直線部１８を移動する。そうすると、引き込みフレーム３１は、一方向回転ダンパーの回転抵抗がまったく作用することなく、引っ張りコイルバネ３９の付勢力により移動するようになるので、引っ張りコイルバネ３９が縮んで来て、その付勢力が弱くなってきても、引き込みフレーム３１および操作部材７０が移動し、したがって障子Ｖが全閉状態まで閉まって行く。
【００２６】
なお、ガイドローラ５６は、ガイドレール部１のローラガイド部２０の傾斜部２２および直線部２１に沿って移動する。これにより、キャッチ部材５０の移動時の姿勢が制御されるので、キャッチ部材５０の係合部５８が操作部材７０に係合し、この操作部材７０を引き込むことができる。
【００２７】
他方、障子Ｖを全閉状態から開けて行くと、図１７に示すように、障子Ｖに固定されている操作部材７０がキャッチ部材５０の係合部５８を押して行く。そうすると、引っ張りコイルバネ３９の付勢力に抗して該引っ張りコイルバネ３９を伸ばしながら、引き込みフレーム３１が同図において右側（上枠Ｗ１の中央部側）に移動して行く。このとき、ガイドローラ５６は、ガイドレール部１のローラガイド部２０の直線部２１および傾斜部２２に沿って移動する。これにより、キャッチ部材５０の移動時の姿勢が制御されるので、操作部材７０がキャッチ部材５０の係合部５８に係合し、この係合部５８を押すことができる。なお、引き込みフレーム３１のこの方向への移動時には、一方向回転ダンパー３４、３５の回転抵抗は生じない。
【００２８】
さらに、障子Ｖを開いて行き、ガイドローラ５６がガイドレール部１の凹部２４の位置にくると、図１８に示すように、キャッチ部材５０が、その係合部５８を操作部材７０により押されるとともに、引っ張りコイルバネ５４により引っ張られて、ねじ５２を中心に同図において（平面視において）反時計方向に回動し、これによりガイドローラ５６が凹部２４に落ちて、凹部２４に係合される。このようにして、この引き込み装置は、図１３と同じ状態に戻る。
このようにガイドローラ５６が凹部２４内に位置すると、操作部材７０がキャッチ部材５０の係合部５８から外れるので、これ以降、障子Ｖはこの引き込み装置とは無関係に開いて行く。
【００２９】
なお、引っ張りコイルバネ３９のバネ力（付勢力）は、ガイドローラ５６がガイドレール部１の凹部２４に係合される直前に最大となるが、ローラガイド部２０の直線部２１と凹部２４との間に傾斜部２２を設けているので、障子Ｖを開く時に生じるローラガイド部２０とガイドローラ５６との摺動抵抗が低減され、これにより障子Ｖの開時の操作力が軽減されるとともに、ガイドローラ５６の凹部２４への出入りが円滑になり、障子Ｖの開閉操作が円滑になる。
【００３０】
次に、戻し部材７２の作用について説明する。
障子Ｖが所定量以上開いている場合には、図１３に示すように、キャッチ部材５０のガイドローラ５６が凹部２４に係合されており、障子Ｖを閉めて行くと、操作部材７０がキャッチ部材５０の係合部５８に係合する。しかし、障子Ｖの建て込み時、あるいはキャッチ部材５０を手で触って回動させ、引き込みフレーム３１が引き込まれてしまった場合などには、図１９に示すように、操作部材７０がキャッチ部材５０の係合部５８に係合していない状態で、引き込みフレーム３１が引き込まれていることがある。このようになると、引き込み装置が機能しない。
【００３１】
このような場合には、障子Ｖを閉めてから再び開けると、戻し部材７２により、キャッチ部材５０のガイドローラ５６が凹部２４に係合される。
すなわち、図１９の状態から障子Ｖを閉めて行くと、図２０に示すように、操作部材７０がキャッチ部材５０の端部に突き当たるまで障子Ｖが閉まる。このとき、操作部材７０とともに障子Ｖに取り付けられている戻し部材７２は、キャッチ部材５０に突き当たって操作部材７０側に倒れ、その後ねじりコイルバネ７５の付勢力により斜めの状態に復帰し、その先端部がキャッチ部材５０の係合部５７と係合部５８との間に位置する。
【００３２】
その後、障子Ｖを開けると、図２１に示すように、ガイドローラ５６がガイドレール部１の凹部２４に係合されるまで、戻し部材７２が引っ張りコイルバネ３９の付勢力に抗してキャッチ部材５０の係合部５８を押して行く。ガイドローラ５６が凹部２４内に位置すると、戻し部材７２がキャッチ部材５０の係合部５８から外れるので、これ以降、障子Ｖはこの引き込み装置とは無関係に開いて行く。
なお、操作部材７０がキャッチ部材５０の係合部５８に係合する通常の状態では、戻し部材７２の先端部は引き込みフレーム３１の下端で押えられた状態になっており、キャッチ部材５０の係合部５８に係合することはない。
【００３３】
このように構成された引戸の引き込み装置にあっては、障子Ｖの閉時に、引き込み装置が作動する当初は、２つ一方向回転ダンパー３４、３５により大きな抵抗力を与えて、障子Ｖの移動速度を緩和することができ、その後２つの一方向回転ダンパー３４、３５のうちの一方向回転ダンパー３４が直線部１８に移動して抵抗力を生じなくなり、最後には両方の一方向回転ダンパー３４、３５が直線部１８に移動して抵抗力を生じなくなるので、このときの引っ張りコイルバネ３９のバネ力（付勢力）を小さくして、完全に障子Ｖを閉止することができる。このため、引っ張りコイルバネ３９の最大バネ力（最大付勢力）を小さくすることができるので、障子Ｖを開けるときの操作力を軽減することができる。この引戸の引き込み装置は、障子の重量が大きい引戸に特に有効である。
【００３４】
なお、両方の一方向回転ダンパー３４、３５が直線部１８に移動せずに、一方の一方向回転ダンパー３４のみを直線部１８に移動させるようにしても、引っ張りコイルバネ３９の最大バネ力（最大付勢力）を小さくすることができるので、障子Ｖを開けるときの操作力を軽減することができる。
【００３５】
次に、本発明の第２の実施の形態を説明する。
図２２乃至図３１は、本実施の形態に係る引戸の引き込み装置を示す図であって、図２２は引き込み装置が設置された引戸を示す正面図、図２３は同引戸の平面図であり、図２４は引戸の引き込み装置の平面図であり、図２５は同引き込み装置を一部を切り欠いて示す正面図であり、図２６は図２４の要部拡大図であり、図２７は図２５の要部拡大図であり、図２８（ａ）は図２７のＡ’−Ａ’線に沿う断面図であり、図２８（ｂ）は図２７のＢ’−Ｂ’線に沿う断面図であり、図２８（ｃ）は図２７のＣ’−Ｃ’線に沿う断面図であり、図２９はガイドレール部を示す図であって、（ａ）は横断面図、（ｂ）は一部を切り欠いて示す正面図、（ｃ）は縦断面図であり、図３０は引き込みフレーム部を示す図であって、（ａ）は平面図、（ｂ）は正面図であり、図３１は操作部を示す正面図である。
【００３６】
前述の実施の形態では、装置本体Ｈを引戸Ｔの枠体Ｗ側に設けるとともに、操作部Ｓを障子Ｖ側に設け、また引き込み用付勢部材としてばね（引っ張りコイルバネ３９）を用いたが、本実施の形態の引戸の引き込み装置では、装置本体を引戸の障子側に設けるとともに、操作部を枠体側に設け、また引き込み用付勢部材として分銅を用いている。
なお、本実施の形態では、２枚の障子Ｖのうち、外障子Ｖに本発明の引き込み装置を適用する場合について説明するが、内障子Ｖにも同様にして適用することができる。
【００３７】
本実施の形態に係る引戸の引き込み装置は、図２２および図２３に示すように、装置本体ＨＡと操作部ＳＡとを備えており、装置本体ＨＡは、引戸Ｔの障子Ｖの上框Ｖ１の上面に取り付けられ、操作部ＳＡは、引戸Ｔの枠体Ｗの上枠Ｗ１に取り付けられている。装置本体ＨＡおよび操作部ＳＡはともに、上枠Ｗ１の案内溝Ｍ内に配置されている。なお、引戸Ｔは、前記の実施の形態の場合とほぼ同様に構成されている。
【００３８】
引戸の引き込み装置の装置本体ＨＡは、図２４乃至図３０に示すように、ガイドレール部１Ａと、引き込みフレーム部２Ａとを、分銅部４とを備えている。
ガイドレール部１Ａは、ねじにより互いに固定された下側のガイドレール１１Ａおよび上側のガイドレール１２Ａと、これらのガイドレール１１Ａ、１２Ａの後側に固定されたＬ字板状の連結板１３Ａとから、前側が開口された細長い概略四角箱状に形成されている。下側のガイドレール１１Ａは、ねじ１４Ａにより、障子Ｖの上框Ｖ１上面の左右方向略中央部に固定されている。下側のガイドレール１１Ａの上面および上側のガイドレール１２Ａの下面にはそれぞれ、長手方向に連続的に延びるガイド面１５Ａ、ガイド溝１６Ａ等が形成されている。また、下側のガイドレール１１Ａの前面の上部には、ローラガイド部２０Ａが形成されている。ローラガイド部２０Ａは、長手方向に直線状に延びる直線部２１Ａと、この直線部２１Ａの障子Ｖの戸先側の端から連続して形成された傾斜部２２Ａとからなり、この傾斜部２２Ａのさらに障子Ｖの戸先側には、奥側に窪んでいる凹部（ストッパ部）２４Ａが形成されている。傾斜部２２Ａは、直線部２１Ａから凹部２４に向かうにつれて漸次奥側（後側）に向かうように傾斜している。なお、傾斜部２２Ａは、本例では直線状に形成されているが、曲線状に形成されていてもよい。また、下側のガイドレール１１Ａの前面には、ローラガイド部２０Ａの下側に、長手方向中央部分に延びるラック１７Ａが形成されており、このラック１７Ａから障子Ｖの召合せ側の部分には、ラック１７Ａの歯底と同じ奥行きで長手方向に延びる直線部１８Ａが形成されている。
【００３９】
引き込みフレーム部２Ａは、引き込みフレーム（引き込み部材）３１Ａを備えている。この引き込みフレーム３１Ａは、ガイドレール部１Ａに長手方向に移動可能に設けられている。すなわち、フレーム３１Ａの上面および下面の奥側にはそれぞれ、上側および下側に突出する突起部３２Ａ、３３Ａが２つずつ長手方向の両端部に形成されており、両突起部３２がガイドレール１１Ａのガイド面１５Ａに載置され、また両突起部３３がガイドレール１２Ａのガイド溝１６Ａに嵌入され、各突起部３２Ａ、３３Ａがそれぞれ各ガイド面１５Ａ、ガイド溝１６Ａに沿って移動するなどのガイド構造が設けられている。
【００４０】
引き込みフレーム３１Ａには、２つの一方向回転ダンパー（ダンパー）３４Ａ、３５Ａが引き込みフレーム３１Ａの長手方向に間隔をおいて取り付けられている。各一方向回転ダンパー３４Ａ、３５Ａの各ピニオン３６Ａ、３７Ａはそれぞれ、ガイドレール１１Ａのラック１７Ａに噛み合うようになっており、障子Ｖが閉方向に動くときには、障子Ｖと一体のラック１７Ａの動きによって抵抗力が働いて障子Ｖがゆっくり移動し、障子Ｖが開方向に動くときには、抵抗なく移動するようになっている。両一方向回転ダンパー３４Ａ、３５Ａは、抵抗力が異なっており、障子Ｖの召合せ側に位置する一方向回転ダンパー３４Ａの方が戸先側に位置する一方向回転ダンパー３５Ａよりも抵抗力が大きく設定されている。
【００４１】
また、引き込みフレーム３１Ａにおける障子Ｖの召合せ側の端部には、ピン３８Ａが固定されており、このピン３８Ａにはロープ７６の一端部が連結されている。このロープ７６は、枠体Ｗに回転自在に取り付けられたプーリ７７を介して水平方向から下方に直角に曲げられ、その他端部が分銅部４の上端部に連結されている。分銅部４は、分銅７８と、この分銅７８の上下端部にそれぞれ設けられた合成樹脂等からなる分銅ガイド７９とを備えている。分銅部４は、障子Ｖの召合せ側の縦枠Ｖ３内に上下移動自在に設けられている。分銅ガイド７９は、分銅７８が移動する際のガイドとして機能するとともに、縦框Ｖ３に分銅部４が衝突するときに分銅ガイド７９が当るようにして衝突音を緩衝する緩衝部材として機能する。ロープ７６、プーリ７７および分銅部４は、引き込みフレーム３１Ａを引き込む引き込み用付勢部材として機能するものである。
【００４２】
また、引き込みフレーム３１Ａにおける障子Ｖの戸先側の端部には、キャッチ部材５０Ａが円筒状のスペーサ５１Ａを介してねじ５２Ａにより回動可能に固定されており、これによりキャッチ部材５０Ａはねじ（回動軸）５２Ａを中心に水平回動自在となっている。このキャッチ部材５０Ａは、キャッチ部材５０Ａと引き込みフレーム３１Ａとの間に設けられた引っ張りコイルバネ（付勢部材）５４Ａにより、平面視において時計方向に回動するように付勢されている。キャッチ部材５０Ａには、ねじ５５Ａによりガイドローラ５６Ａが回転自在に取り付けられている。このガイドローラ５６Ａは、ガイドレール部１Ａのガイドレール１１Ａのローラガイド部２０Ａに案内されて移動し、ローラガイド部２０Ａの傾斜部２２Ａ側の端部では、凹部２４Ａ内に落とされる。また、キャッチ部材５０Ａには、ガイドレール部１の開口側（連結板１３と反対側）に水平に突出する係合部５７Ａと係合部５８Ａとが少しの間隔をおいて形成されている。これらの係合部５７Ａおよび係合部５８Ａには、操作部ＳＡの操作部材７０Ａが係合する。
【００４３】
操作部ＳＡは、図３１に示すように、取付フレーム７１Ａを備えており、この取付フレーム７１Ａは、枠体Ｗの上枠Ｗ１下面の左右方向端部と中央部との間の中間の位置に、ねじにより取り付けられている。この取付フレーム７１Ａには、操作部材７０Ａと戻し部材７２Ａとが互いに少し間隔をおいて下方に突出するように設けられている。操作部材７０Ａおよび戻し部材７２Ａはそれぞれ、障子Ｖの戸先側および召合せ側に配置されている。戻し部材７２Ａは、その上端部のピン７４Ａを中心に回動可能に取り付けられるとともに、その下端部が操作部材７０Ａから離れる方向にねじりコイルバネ（付勢部材）７５Ａにより付勢され、かつ操作部材７０Ａ側に斜めに傾いた状態でそれ以上起き上がれないように上枠Ｗ１により規制されている。したがって、戻し部材７２Ａは、常時は操作部材７０Ａ側に斜めに傾いた状態になっているとともに、ねじりコイルバネ７５Ａの付勢力に抗して力を加えると操作部材７０Ａ側に倒れ、力を抜くとねじりコイルバネ７５Ａの付勢力により斜めの状態に復帰するようになっている。
【００４４】
次に、この引戸の引き込み装置の動作を図２２乃至図２５を参照しつつ説明する。
障子Ｖが所定量開いている状態ないし全開状態では、キャッチ部材５０Ａのガイドローラ５６Ａがガイドレール部１Ａの凹部２４Ａ内に位置しており、これによりガイドレール部１Ａ、引き込みフレーム２Ａおよび分銅部４とが一体化し、障子Ｖとともに移動する。このとき、引き込みフレーム３１Ａの２つの一方向回転ダンパー３４Ａ、３５Ａの各ピニオン３６Ａ、３７Ａはともに、ガイドレール部１Ａのラック１７Ａに噛み合っている。
【００４５】
次いで、障子Ｖを閉めて行くと、障子Ｖに取り付けられた装置本体ＨＡ（ガイドレール部１Ａ、引き込みフレーム２Ａおよび分銅部４）が障子Ｖとともに枠体Ｗの縦枠Ｗ３側に移動して行き、キャッチ部材５０Ａの係合部５７Ａが上枠Ｗ１に取り付けられた操作部材７０Ａに突き当たって、係合する。このとき、障子Ｖはあと少しを残して開いた状態である。
【００４６】
さらに、障子Ｖが閉まって行くと、操作部材７０Ａによりキャッチ部材５０Ａの係合部５７Ａが押されて、キャッチ部材５０Ａが引っ張りコイルバネ５４Ａの付勢力に抗してねじ５２Ａを中心に平面視において反時計方向に回動し、これによりガイドローラ５６Ａがガイドレール部１Ａの凹部２４Ａから外れて、ガイドレール部１Ａと引き込みフレーム部２Ａとが別々に移動できるようになる。その後、引き込みフレーム部２Ａは、分銅部４によりの障子Ｖの召合せ側に付勢されているので、キャッチ部材５０Ａの係合部５８Ａが操作部材７０Ａに係合し、引き込みフレーム部２Ａはその位置に保持される。一方、障子Ｖに設けられたプーリ７７に作用する分銅部４の荷重により、障子Ｖが閉まる方向に押されるので、障子Ｖを人力等により移動させなくても、障子Ｖが閉まって行く。障子Ｖが閉まって行くと、プーリ７７も障子Ｖとともに移動するので、分銅部４が縦框Ｖ３内を下降して行く。そして、引き込み部２Ａの引き込みフレーム３１Ａの２つの一方向回転ダンパー３４Ａ、３５Ａの各ピニオン３６Ａ、３７Ａがともに、ガイドレール部１Ａのラック１７Ａに噛み合っている間は、両方の一方向回転ダンパー３４Ａ、３５Ａの回転抵抗を受け、ガイドレール部１Ａはゆっくり移動し、したがってガイドレール部１Ａが固定されている障子Ｖはゆっくり閉まって行く。このように、本引き込み装置の作動当初では、障子Ｖの移動速度が遅くなる。したがって、障子Ｖを勢い良く閉めた場合には、障子Ｖの移動速度が減速され、これにより指詰め等の事故を防止することが可能になる。
【００４７】
さらに、障子Ｖが閉まって行くと、２つの一方向回転ダンパー３４Ａ、３５Ａのうちの一方の一方向回転ダンパー３４Ａのピニオン３６Ａがラック１７Ａから外れて直線部１８Ａに位置する。そうすると、ガイドレール部１Ａは、ラック１７Ａと噛み合っている一方向回転ダンパー３５Ａの回転抵抗のみを受けて移動するようになるので、ガイドレール部１Ａ（したがって障子Ｖ）はその前より少し早く移動するようになる。この例では、一方向回転ダンパー３４Ａの方が一方向回転ダンパー３５Ａよりも回転抵抗が大きく設定されているので、一方向回転ダンパー３５Ａのみによる回転抵抗は、２つの一方向回転ダンパー３４Ａ、３５Ａによる回転抵抗の半分よりも小さくなる。その後、障子Ｖは全閉状態まで閉まって行く。
【００４８】
なお、ガイドローラ５６Ａは、ガイドレール部１Ａのローラガイド部２０Ａの傾斜部２２Ａおよび直線部２１Ａに沿って移動する。これにより、キャッチ部材５０Ａの障子Ｖ移動時の姿勢が制御され、キャッチ部材５０Ａの係合部５８Ａが操作部材７０Ａに係合し、引き込みフレーム部２Ａが同じ位置に保持される。
【００４９】
他方、障子Ｖを全閉状態から開けて行くと、ガイドレール部１Ａが障子Ｖとともに枠体Ｗの左右方向中央部側に移動するとともに、分銅部４が縦框Ｖ３内を上昇して行く。このときの障子Ｖには、プーリ７７を介して障子Ｖが閉まる方向に分銅部４の荷重による力が作用している。このとき、ガイドローラ５６Ａは、ガイドレール部１Ａのローラガイド部２０Ａの直線部２１Ａおよび傾斜部２２Ａに沿って移動する。これにより、キャッチ部材５０Ａの障子Ｖ移動時の姿勢が制御され、キャッチ部材５０Ａの係合部５８Ａが操作部材７０Ａに係合し、引き込みフレーム部２Ａが同じ位置に保持される。なお、ガイドレール部１Ａのこの方向への移動時には、一方向回転ダンパー３４Ａ、３５Ａの回転抵抗は生じない。
【００５０】
さらに、障子Ｖを開いて行き、引き込みフレーム部２Ａのガイドローラ５６Ａがガイドレール部１Ａの凹部２４Ａの位置にくると、キャッチ部材５０Ａが、その係合部５８を操作部材７０Ａにより押されるとともに、引っ張りコイルバネ５４Ａにより引っ張られて、ねじ５２Ａを中心に平面視において時計方向に回動し、これによりガイドローラ５６Ａが凹部２４Ａに落ちて、凹部２４Ａに係合される。そうすると、ガイドレール部１Ａ、引き込みフレーム２Ａおよび分銅部４とが一体化し、障子Ｖとともに移動するようになり、これ以降、障子Ｖはこの引き込み装置とは無関係に開いて行く。
【００５１】
なお、分銅部４の付勢力は一定であるが、ローラガイド部２０Ａの直線部２１Ａと凹部２４Ａとの間に傾斜部２２Ａを設けているので、障子Ｖを開く時に生じるローラガイド部２０Ａとガイドローラ５６Ａとの摺動抵抗が低減され、これにより障子Ｖの開時の操作力が軽減されるとともに、ガイドローラ５６Ａの凹部２４Ａへの出入りが円滑になり、障子Ｖの開閉操作が円滑になる。
【００５２】
次に、戻し部材７２Ａの作用について図２２乃至図２５を参照しつつ説明する。
障子Ｖが所定量以上開いている場合には、前述のように、キャッチ部材５０Ａのガイドローラ５６Ａが凹部２４Ａに係合されており、障子Ｖを閉めて行くと、キャッチ部材５０Ａの係合部５８Ａが操作部材７０Ａに係合する。しかし、障子Ｖの建て込み時、あるいはキャッチ部材５０Ａを手で触って回動させ、引き込みフレーム３１Ａが召合せ側に引き込まれてしまった場合などには、キャッチ部材５０Ａの係合部５８Ａが操作部材７０Ａに係合していない状態で、引き込みフレーム３１Ａが引き込まれてしまうことがある。このようになると、引き込み装置が機能しない。
【００５３】
このような場合には、障子Ｖを閉めてから再び開けると、戻し部材７２Ａにより、キャッチ部材５０Ａのガイドローラ５６Ａが凹部２４Ａに係合される。
すなわち、操作部材７０Ａがキャッチ部材５０Ａより戸先側に位置している状態で、障子Ｖを閉めて行くと、キャッチ部材５０Ａの戸先側の端部が操作部材７０Ａに突き当たるまで障子Ｖが閉まる。このとき、操作部材７０Ａとともに障子Ｖに取り付けられている戻し部材７２Ａは、キャッチ部材５０Ａに突き当たって操作部材７０Ａ側に倒れ、その後ねじりコイルバネ７５Ａの付勢力により斜めの状態に復帰し、その先端部がキャッチ部材５０Ａの係合部５７Ａと係合部５８Ａとの間に位置する。
【００５４】
その後、障子Ｖを開けると、戻し部材７２Ａがキャッチ部材５０Ａの係合部５８Ａに係合し、分銅部４の付勢力に抗してキャッチ部材５０Ａをその位置に保持している。そして、ガイドレール部１Ａの凹部２４Ａがキャッチ部材５０Ａのガイドローラ５６Ａの位置にくると、ガイドローラ５６Ａが凹部２４Ａに落ちて、係合される。ガイドローラ５６Ａが凹部２４Ａ内に位置すると、戻し部材７２Ａがキャッチ部材５０Ａの係合部５８Ａから外れるので、これ以降、障子Ｖはこの引き込み装置とは無関係に開いて行く。
なお、操作部材７０Ａがキャッチ部材５０Ａの係合部５８Ａに係合する通常の状態では、戻し部材７２Ａの先端部は引き込みフレーム３１Ａの上端で押えられた状態になっており、キャッチ部材５０Ａの係合部５８Ａに係合することはない。
【００５５】
このように構成された引戸の引き込み装置にあっては、障子Ｖの閉時に、引き込み装置が作動する当初は、２つの一方向回転ダンパー３４Ａ、３５Ａにより大きな抵抗力を与えて、障子Ｖの移動速度を緩和することができ、その後２つの一方向回転ダンパー３４Ａ、３５Ａのうちの一方向回転ダンパー３４Ａが直線部１８Ａに移動して抵抗力を生じなくなるので、このときの分銅部４による付勢力を小さくして、完全に障子Ｖを閉止することができる。このため、分銅部４による最大付勢力を小さくすることができるので、障子Ｖを開けるときの操作力を軽減することができる。この引戸の引き込み装置は、障子の重量が大きい引戸に特に有効である。
【００５６】
なお、前述の第１の実施の形態では、装置本体Ｈを引戸Ｔの枠体Ｗの上枠Ｗ１に取り付け、操作部Ｓを引戸Ｔの障子Ｖの上框Ｖ１に取り付けた場合について説明したが、図３２に示すように、装置本体Ｈを引戸Ｔの障子Ｖの上框Ｖ１に取り付け、操作部Ｓを引戸Ｔの枠体Ｗの上枠Ｗ１に取り付けるようにしてもよい。図３２は障子Ｖの全閉時を示している。なお、図３２の第３の実施の形態では、引き込みフレーム３１の障子Ｖの召合せ側の端部にロープ８５の一端部を固定し、このロープ８５を障子Ｖに固定されたプーリ８６に巻回した後、ロープ８５の他端部に引っ張りコイルバネ３９の一端部を取り付け、この引っ張りコイルバネ（バネ）３９の他端部を、ガイドレール部１に取り付けている。ロープ８５、プーリ８６およびばね３９は、引き込みフレーム３１を引き込む引き込み用付勢部材として機能するものである。また、図３２の実施の形態では、ばね力調整部３を設けていない。
【００５７】
また、前述の第２の実施の形態では、装置本体ＨＡを引戸Ｔの障子Ｖの上框Ｖ１に取り付け、操作部ＳＡを引戸Ｔの枠体Ｗの上枠Ｗ１に取り付けた場合について説明したが、図３３に示すように、装置本体ＨＡを引戸Ｔの枠体Ｗの上枠Ｗ１に取り付け、操作部ＳＡを引戸Ｔの障子Ｖの上框Ｖ１に取り付けるようにしてもよい。図３３において、左側の障子Ｖは全閉時を示し、右側の障子Ｖは引き込み装置により引き込まれる直前の状態を示している。なお、図３３の第４の実施の形態では、分銅部４は縦枠Ｗ３内に設けられている。また、図３３の実施の形態では、２枚の障子Ｖ（外障子Ｖおよび内障子Ｖ）両方に本発明の引き込み装置が設けられている場合を示している。
【００５８】
また、前述の各実施の形態では、本発明の引き込み装置を引戸の上部に設けたが、本発明の引き込み装置を引戸の下部に設けるようにしてもよい。
【００５９】
また、前述の各実施の形態では、本発明の引戸の引き込み装置を、２枚建ての引き違い引戸に適用した場合について説明したが、本発明はこれに限らず、４枚建ての引戸あるいは片引き引戸等にも適用することができ、また溝上で開閉する方式の引戸あるいはハンガーレールに吊られて開閉する方式の引き戸等にも適用することができる。
【００６０】
図３４乃至図３６は、本発明の第５の実施の形態に係る引戸の引き込み装置を示す図であって、図３４は引戸の引き込み装置の要部の平面図であり、図３５は引き込みフレーム部を示す図であって、（ａ）は平面図、（ｂ）は正面図であり、図３６は一方向回転ダンパーの１つの位置を変更した状態の引戸の引き込み装置の要部の平面図である。
なお、本実施の形態は、一方向回転ダンパーのうちの１つの位置を変更できる点に特徴があり、その他の構成および作用は前述した第１の実施の形態の構成および作用と同様であるため、以下においては、本実施の形態の特徴部分についてのみ言及し、それ以外の部分については、図１ないし図２１と同一の符号を付して簡潔に説明するに留める。
【００６１】
本実施の形態では、図３４および図３５に示すように、引き込みフレーム部２の引き込みフレーム３１に設けられている２つの一方向回転ダンパー３４、３５のうちの一方向回転ダンパー３４の位置が変更できるようになっている。すなわち、一方向回転ダンパー３４は、引き込みフレーム部２の引き込みフレーム３１に設けられている２つの一方向回転ダンパー３４、３５のうちで、ガイドレール部１のガイドレール１１のラック１７から早く外れて直線部（平坦部）１８に移動するようになっているが、この一方向回転ダンパー３４の位置をラック１７に沿う方向に変更できるようになっている。
【００６２】
この一方向回転ダンパー３４の位置を変更可能とする構造は、次のように構成されている。すなわち、引き込みフレーム３１の下側には、ダンパー取付板９０が設けられており、ダンパー取付板９０に一方向回転ダンパー３４が固定されている。このダンパー取付板９０には、ラック１７に沿う方向に延びる２つの長穴９１が形成されており、各長穴９１にはそれぞれ、ガイドピンとしてのねじ９２が下側から挿入され、引き込みフレーム３１に螺合されている。この場合、ねじ９２を引き込みフレーム３１に締め付けても、ダンパー取付板９０は移動できるようになっている。また、ダンパー取付板９０には、ラック１７に沿う方向に延びる長穴９３が形成されており、この長穴９３には、固定ねじ９４が下側から挿入され、引き込みフレーム３１に螺合されている。したがって、ダンパー取付板９０は、固定ねじ９４を緩めて、ガイドピンとしてねじ９２と長穴９１とをガイドとしてラック１７に沿う方向に移動し、固定ねじ９４を締め付けることにより、ラック１７に沿う方向に固定位置を変更できるようになっており、このダンパー取付板９０の固定位置変更に伴って、ダンパー取付板９０に固定されている一方向回転ダンパー３４の位置が変更するようになっている。
【００６３】
このような引戸の引き込み装置にあっては、図３６に示すように、ダンパー取付板９０の固定位置をガイドレール部１の直線部１８側からラック１７側に移動することにより、一方向回転ダンパー３４を一方向回転ダンパー３５側に移動し、これにより一方向回転ダンパー３４のピニオン３６がラック１７に噛み合う噛み合い長さが長くなるようにすると、障子の閉時に、引っ張りコイルバネ３９により引き込みフレーム３１が引き込まれる際に、２つの一方向回転ダンパー３４、３５の両ピニオン３６、３７とラック１７との噛み合いによる両方の一方向回転ダンパー３４、３５の回転抵抗が両方とも作用している距離が長くなり、引き込み時の抵抗が大きくなる。一方向回転ダンパー３４、３５は、通常シリコンオイル等の粘性を利用するものであるので、冬場に比べて夏場に、一方向回転ダンパー３４、３５の回転抵抗が低下するが、この夏場に、一方向回転ダンパー３４のピニオン３６がラック１７に噛み合う噛み合い長さが長くなるように、上記のように一方向回転ダンパー３４の固定位置を変更することにより、冬場と同じようなダンパー機能（衝撃吸収機能）を得ることが可能となる。また、一方向回転ダンパー３４のピニオン３６とラック１７との噛み合い長さを調節することができるので、ダンパー機能を調節することが可能である。
【００６４】
図３７乃至図４１は、本発明の第６の実施の形態に係る引戸の引き込み装置を示す図であって、図３７は引戸の引き込み装置の要部を示す図であって、（ａ）は平面図、（ｂ）は正面図であり、図３８はガイドレール部を示す図であって、（ａ）は平面図、（ｂ）は正面図、（ｃ）は（ｂ）のＤ−Ｄ線に沿う断面図であり、図３９は引き込みフレーム部を示す図であって、（ａ）は平面図、（ｂ）は正面図であり、図４０および図４１は補助の一方向回転ダンパーを使用する場合の引戸の引き込み装置の要部の平面図である。
なお、本実施の形態は、補助の一方向回転ダンパーを設けた点に特徴があり、その他の構成および作用は前述した第１の実施の形態の構成および作用と同様であるため、以下においては、本実施の形態の特徴部分についてのみ言及し、それ以外の部分については、図１ないし図２１と同一の符号を付して簡潔に説明するに留める。
【００６５】
本実施の形態では、図３７および図３８に示すように、ガイドレール部１に補助の一方向回転ダンパー１００が位置を変更可能に設けられている。すなわち、ガイドレール部１の直線部１８側の端部には、延長部１０１が設けられ、この延長部１０１の下側には、補助ダンパー取付板１０３が設けられており、この補助ダンパー取付板１０３に一方向回転ダンパー１００が固定されている。補助ダンパー取付板１０３には、ラック１７に沿う方向に延びる２つの長穴１０５が形成されており、各長穴１０５にはそれぞれ、ガイドピンとしてのねじ１０６が下側から挿入され、延長部１０１に螺合されている。この場合、ねじ１０６を延長部１０１に締め付けても、補助ダンパー取付板１０３は移動できるようになっている。また、補助ダンパー取付板１０３には、ラック１７に沿う方向に延びる長穴１０７が形成されており、この長穴１０７には、固定ねじ１０８が下側から挿入され、延長部１０１に螺合されている。したがって、補助ダンパー取付板１０３は、固定ねじ１０８を緩めて、ガイドピンとしてねじ１０６と長穴１０５とをガイドとしてラック１７に沿う方向に移動し、固定ねじ１０８を締め付けることにより、ラック１７に沿う方向に固定位置を変更できるようになっており、この補助ダンパー取付板１０３の固定位置変更に伴って、補助ダンパー取付板１０３に固定されている一方向回転ダンパー１００の位置が変更するようになっている。
【００６６】
一方、図３７および図３９に示すように、引き込みフレーム部２の引き込みフレーム３１の一方向回転ダンパー３４側の端部には、細巾の延長部１１１が一体に形成されており、この延長部１１１の先端部には、補助のラック１１２が形成されている。このラック１１２は、ガイドレール部１のラック１７と平行に延びている。後述するように、ラック１１２は、補助の一方向回転ダンパー１００のピニオン１１５が噛み合い可能となっている。ラック１１２の一方向回転ダンパー３４側には、ラック１１２の歯底と同じ奥行きで直線状に延びる直線部（平坦部）１１３が形成されている。
【００６７】
このような引戸の引き込み装置においては、補助の一方向回転ダンパー１００を使用しないときには、図３７に示すように、補助の一方向回転ダンパー１００がラック１１２より一方向回転ダンパー３４側に位置しており、したがって障子の閉時に、引っ張りコイルバネ３９により引き込みフレーム３１が引き込まれても、補助の一方向回転ダンパー１００がラック１１２に噛み合うことはない。
【００６８】
他方、補助の一方向回転ダンパー１００を使用する場合には、図４０に示すように、補助ダンパー取付板１０３をガイドレール部１の延長部１０１から引き出して、補助ダンパー取付板１０３の固定位置を延長部１０１の先端側に移動することにより、補助の一方向回転ダンパー１００を延長部１０１の先端側に移動し、これにより補助の一方向回転ダンパー１００のピニオン１１５がラック１１２の先端側（一方向回転ダンパー３４と反対側）の端部に噛み合うようにする。そうすると、障子の閉時に、引っ張りコイルバネ３９により引き込みフレーム３１が引き込まれる際に、２つの一方向回転ダンパー３４、３５の両ピニオン３６、３７がラック１７との噛み合うとともに、補助の一方向回転ダンパー１００のピニオン１１５がラック１１２と噛み合うので、引き込み時の抵抗が大きくなる。なお、本例では、図４１に示すように、引き込みフレーム３１が引き込まれて、一方向回転ダンパー３４のピニオン３６がラック１７から外れて直線部に移動するときに、補助の一方向回転ダンパー１００のピニオン１１５もラック１１２から外れて直線部１１３に移動するようになっている。
【００６９】
したがって、この引戸の引き込み装置にあっては、冬場に比べて夏場に、一方向回転ダンパー３４、３５の回転抵抗が低下しても、この夏場に、補助の一方向回転ダンパー１００を用いることにより、冬場と同じようなダンパー機能を得ることが可能となる。また、補助の一方向回転ダンパー１００のピニオン１１５とラック１１２との噛み合い長さを変更することができるので、ダンパー機能（衝撃吸収機能）を調節することができる。
【００７０】
図４２乃至図４４は、本発明の第７の実施の形態に係る引戸の引き込み装置を示す図であって、図４２は引戸の引き込み装置の要部を示す平面図であり、図４３は引き込みフレーム部を示す図であって、（ａ）は平面図、（ｂ）は正面図であり、図４４は離脱式の一方向回転ダンパーを使用する場合の引き込みフレーム部の正面図である。
なお、本実施の形態は、離脱式の一方向回転ダンパーを設けた点に特徴があり、その他の構成および作用は前述した第１の実施の形態の構成および作用と同様であるため、以下においては、本実施の形態の特徴部分についてのみ言及し、それ以外の部分については、図１ないし図２１と同一の符号を付して簡潔に説明するに留める。
【００７１】
本実施の形態では、図４２および図４３に示すように、引き込みフレーム部２の引き込みフレーム３１に、２つの一方向回転ダンパー３４、３５に加えて、離脱式の一方向回転ダンパー１２０が設けられている。すなわち、一方向回転ダンパー１２０は、離脱ダンパー取付板１２１に固定されており、この離脱ダンパー取付板１２１は、固定ねじ１２２に固定されている。この固定ねじ１２２が引き込みフレーム３１に下側から螺合されることにより、離脱ダンパー取付板１２１が引き込みフレーム３１の下側に設けられている。また、離脱ダンパー取付板１２１には、上方に延びるガイドピン１２３が設けられており、このガイドピン１２３は、引き込みフレーム３１に上下方向に延びるガイド穴１２４に挿入されている。
【００７２】
そして、固定ねじ１２２が引き込みフレーム３１にねじ込まれるにつれて、離脱ダンパー取付板１２１が上昇し（引き込みフレーム３１に接近し）、これに伴い一方向回転ダンパー１２０が上昇するようになっている。固定ねじ１２２が完全にねじ込まれたときに、一方向回転ダンパー１２０のピニオン１２５がガイドレール部１のラック１７における直線部１８側の端部に噛み合うようになっている。
他方、固定ねじ１２２が引き込みフレーム３１から緩められるにつれて、離脱ダンパー取付板１２１が下降し（引き込みフレーム３１から離れ）、これに伴い一方向回転ダンパー１２０が下降し、これにより一方向回転ダンパー１２０のピニオン１２５がラック１７に噛み合わなくなるようになっている。
離脱ダンパー取付板１２１は、昇降移動時に、ガイドピン１２３とガイド穴１２４により、案内されて移動する。
【００７３】
このような引戸の引き込み装置においては、離脱式の一方向回転ダンパー１２０を使用しないときには、図４３（ｂ）に示すように、離脱ダンパー取付板１２１が下側の位置にあるので、一方向回転ダンパー１２０のピニオン１２５がラック１７よりも下側の位置にあり、したがって障子の閉時に、引っ張りコイルバネ３９により引き込みフレーム３１が引き込まれても、補助の一方向回転ダンパー１００がラック１７に噛み合うことはない。
【００７４】
他方、離脱式の一方向回転ダンパー１２０を使用する場合には、図４４に示すように、固定ねじ１２２をねじ込み、離脱ダンパー取付板１２１を上昇させて、離脱ダンパー取付板１２１の固定位置を上側に移動することにより、一方向回転ダンパー１２０のピニオン１２５がラック１７に噛み合うようにする。そうすると、障子の閉時に、引っ張りコイルバネ３９により引き込みフレーム３１が引き込まれる際に、２つの一方向回転ダンパー３４、３５の両ピニオン３６、３７がラック１７との噛み合うとともに、離脱式の一方向回転ダンパー１２０のピニオン１２５がラック１７と噛み合うので、引き込み時の抵抗が大きくなる。
【００７５】
したがって、この引戸の引き込み装置にあっては、冬場に比べて夏場に、一方向回転ダンパー３４、３５の回転抵抗が低下しても、この夏場に、離脱式の一方向回転ダンパー１２０を用いることにより、冬場と同じようなダンパー機能を得ることが可能となる。
【００７６】
なお、本発明の第５乃至第７の各実施の形態は、前述の本発明の第２乃至第４の各実施の形態にも適用することができる。
すなわち、第５の実施の形態のように、ラックに噛み合う一方向回転ダンパーのうちの少なくとも１つの一方向回転ダンパーの位置を変更可能とし、これにより一方向回転ダンパーがラックに噛み合う噛み合い長さを変更可能とすることは、前述の第２乃至第４の各実施の形態のような引戸の引き込み装置にも適用することができる。
【００７７】
また、第６の実施の形態のように、少なくとも１つの補助の一方向回転ダンパーおよびラックを設け、適宜これを用いることにより、引き込み時の抵抗を大きくすること、ならびにこれらの補助の一方向回転ダンパーとラックとの噛み合い長さを変更可能とすることは、前述の第２乃至第４の各実施の形態に係る引戸の引き込み装置にも適用することができる。
【００７８】
また、第７の実施の形態のように、ラックに噛み合う少なくとも１つの離脱式の一方向回転ダンパーを設け、適宜これを用いることにより、引き込み時の抵抗を大きくすることは、前述の第２乃至第４の各実施の形態に係る引戸の引き込み装置にも適用することができる。この離脱式の一方向回転ダンパーは、前述のように上下方向に移動自在とすることのほかに、例えば、離脱式の一方向回転ダンパーを横方向に移動自在としたり、あるいは旋回自在とするなどして、ラックに噛み合う位置とラックから外れる位置とに移動自在とするようにしてもよい。
【図面の簡単な説明】
【００７９】
【図１】本発明の第１の実施の形態に係る引戸の引き込み装置が設置された引戸を示す図であって、正面図である。
【図２】同、平面図である。
【図３】同、側面図である。
【図４】引戸の引き込み装置を示す平面図である。
【図５】引戸の引き込み装置を一部を切り欠いて示す正面図である。
【図６】図４の要部拡大図である。
【図７】図５の要部拡大図である。
【図８】（ａ）は図７のＡ−Ａ線に沿う断面図であり、（ｂ）は図７のＢ−Ｂ線に沿う断面図であり、（ｃ）は図７のＣ−Ｃ線に沿う断面図である。
【図９】ガイドレール部を示す図であって、（ａ）は平面図であり、（ｂ）は一部を切り欠いて示す正面図であり、（ｃ）は縦断面図である。
【図１０】引き込みフレーム部を示す図であって、（ａ）は平面図であり、（ｂ）は正面図である。
【図１１】ばね力調整部を示す正面図である。
【図１２】操作部を示す正面図である。
【図１３】引戸の引き込み装置の動作を説明するための平面図である。
【図１４】引戸の引き込み装置の動作を説明するための平面図である。
【図１５】引戸の引き込み装置の動作を説明するための平面図である。
【図１６】引戸の引き込み装置の動作を説明するための平面図である。
【図１７】引戸の引き込み装置の動作を説明するための平面図である。
【図１８】引戸の引き込み装置の動作を説明するための平面図である。
【図１９】戻し部材の作用を説明するための正面図である。
【図２０】戻し部材の作用を説明するための正面図である。
【図２１】戻し部材の作用を説明するための正面図である。
【図２２】本発明の第２の実施の形態に係る引戸の引き込み装置が設置された引戸を示す図であって、正面図である。
【図２３】同、平面図である。
【図２４】引戸の引き込み装置を示す平面図である。
【図２５】引戸の引き込み装置を一部を切り欠いて示す正面図である。
【図２６】図２４の要部拡大図である。
【図２７】図２５の要部拡大図である。
【図２８】（ａ）は図２７のＡ’−Ａ’線に沿う断面図であり、（ｂ）は図２７のＢ’−Ｂ’線に沿う断面図であり、（ｃ）は図２７のＣ’−Ｃ’線に沿う断面図である。
【図２９】ガイドレール部を示す図であって、（ａ）は横断面図であり、（ｂ）は一部を切り欠いて示す正面図であり、（ｃ）は縦断面図である。
【図３０】引き込みフレーム部を示す図であって、（ａ）は平面図であり、（ｂ）は正面図である。
【図３１】操作部を示す正面図である。
【図３２】本発明の第３の実施の形態に係る引戸の引き込み装置が設置された引戸を示す図であって、（ａ）は平面図であり、（ｂ）は正面図である。
【図３３】本発明の第４の実施の形態に係る引戸の引き込み装置が設置された引戸を示す図であって、（ａ）は平面図であり、（ｂ）は正面図である。
【図３４】本発明の第５の実施の形態に係る引戸の引き込み装置の要部を示す平面図である。
【図３５】引き込みフレーム部を示す図であって、（ａ）は平面図であり、（ｂ）は正面図である。
【図３６】一方向回転ダンパーの１つの位置を変更した状態の引戸の引き込み装置の要部を示す平面図である。
【図３７】本発明の第６の実施の形態に係る引戸の引き込み装置の要部を示す図であって、（ａ）は平面図、（ｂ）は正面図である。
【図３８】ガイドレール部を示す図であって、（ａ）は平面図、（ｂ）は正面図、（ｃ）は（ｂ）のＤ−Ｄ線に沿う断面図である。
【図３９】引き込みフレーム部を示す図であって、（ａ）は平面図、（ｂ）は正面図である。
【図４０】補助の一方向回転ダンパーを使用する場合の引戸の引き込み装置の要部の平面図である。
【図４１】補助の一方向回転ダンパーを使用する場合の引戸の引き込み装置の要部の平面図である。
【図４２】本発明の第７の実施の形態に係る引戸の引き込み装置の要部を示す平面図である。
【図４３】引き込みフレーム部を示す図であって、（ａ）は平面図、（ｂ）は正面図である。
【図４４】離脱式の一方向回転ダンパーを使用する場合の引き込みフレーム部の正面図である。
【符号の説明】
【００８０】
Ｔ    引戸
Ｗ    枠体
Ｖ    障子
Ｈ、ＨＡ    装置本体
１、１Ａ    ガイドレール部
１７、１７Ａ、１１２    ラック
１８、１８Ａ、１１３    直線部
３１、３１Ａ    引き込みフレーム（引き込み部材）
３４、３５、３４Ａ、３５Ａ、１００、１２０    一方向回転ダンパー
７０、７０Ａ    操作部材
【図１】
2006348553.tif 000003
【図２】
2006348553.tif 000004
【図３】
2006348553.tif 000005
【図４】
2006348553.tif 000006
【図５】
2006348553.tif 000007
【図６】
2006348553.tif 000008
【図７】
2006348553.tif 000009
【図８】
2006348553.tif 000010
【図９】
2006348553.tif 000011
【図１０】
2006348553.tif 000012
【図１１】
2006348553.tif 000013
【図１２】
2006348553.tif 000014
【図１３】
2006348553.tif 000015
【図１４】
2006348553.tif 000016
【図１５】
2006348553.tif 000017
【図１６】
2006348553.tif 000018
【図１７】
2006348553.tif 000019
【図１８】
2006348553.tif 000020
【図１９】
2006348553.tif 000021
【図２０】
2006348553.tif 000022
【図２１】
2006348553.tif 000023
【図２２】
2006348553.tif 000024
【図２３】
2006348553.tif 000025
【図２４】
2006348553.tif 000026
【図２５】
2006348553.tif 000027
【図２６】
2006348553.tif 000028
【図２７】
2006348553.tif 000029
【図２８】
2006348553.tif 000030
【図２９】
2006348553.tif 000031
【図３０】
2006348553.tif 000032
【図３１】
2006348553.tif 000033
【図３２】
2006348553.tif 000034
【図３３】
2006348553.tif 000035
【図３４】
2006348553.tif 000036
【図３５】
2006348553.tif 000037
【図３６】
2006348553.tif 000038
【図３７】
2006348553.tif 000039
【図３８】
2006348553.tif 000040
【図３９】
2006348553.tif 000041
【図４０】
2006348553.tif 000042
【図４１】
2006348553.tif 000043
【図４２】
2006348553.tif 000044
【図４３】
2006348553.tif 000045
【図４４】
2006348553.tif 000046